(57)【要約】【課題】錠から離れた場所であっても、錠の施解錠状態が確認可能な施解錠確認システムを提供する。【解決手段】施解錠確認システム１は、住宅のドアに設置された通知装置２と使用者によって携帯される携帯機３とから構成されている。通知装置２は、施解錠検知センサ１１から入力される施錠信号及び解錠信号に応じて錠５の施解錠状態を示す状態信号を出力するマイコン１３と、同状態信号を送信する送信回路１２とを備えている。そして、携帯機３は、通知装置２から送信される状態信号を受信する受信回路２１と、状態信号に基づいて錠５の施解錠状態を記憶するメモリ２２と、メモリ２２に記憶された錠５の施解錠状態に応じて点灯されるＬＥＤ２７，２８とを備えている。使用者は、ＬＥＤ２７，２８の点灯状態を見ることにより、錠５の施解錠状態を確認することができる。【選択図】      図１
2006200154.tif 000002
【特許請求の範囲】
【請求項１】
錠が施錠・解錠される度に前記錠の施解錠状態を示す状態信号を出力する信号出力部と、
前記状態信号を送信する送信部と
を有する通知装置と、
前記状態信号を受信する受信部と、
前記状態信号に基づいて前記錠の施解錠状態を記憶する記憶部と、
前記記憶部に記憶された前記錠の施解錠状態に応じた表示をする表示部と
を有する携帯機と
を備えた施解錠確認システム。
【請求項２】
建造物のドアの錠が施錠・解錠される度に前記錠の施錠解錠状態を示す状態信号を出力する信号出力部と、
前記状態信号を送信する送信部と
を有する通知装置と、
前記状態信号を受信する受信部と、
前記状態信号に基づいて前記錠の施解錠状態を記憶する記憶部と、
前記記憶部に記憶された前記錠の施解錠状態に応じた表示をする表示部と
を有する携帯機と
を備えた施解錠確認システム。
【請求項３】
請求項１又は請求項２に記載の施錠解錠確認システムにおいて、
前記携帯機は、前記表示部に対して前記錠の施解錠状態を表示するように指令する指令信号を出力する指令部と、前記表示部に電力を供給する電源とを備え、
前記表示部は、前記指令信号が出力されている間のみ、前記電源から電力が供給されて前記記憶部に記憶された前記錠の施解錠状態に応じた表示をすることを特徴とする施解錠確認システム。
【発明の詳細な説明】
【技術分野】
【０００１】
本発明は錠の施解錠状態を確認するための施解錠確認システムに関する。
【背景技術】
【０００２】
従来、錠の施解錠状態（施錠状態及び解錠状態）を表示する施解錠確認システムが知られている。例えば、特許文献１にて開示されている施解錠確認システムは、使用者によって携帯される携帯機と、ドア等の錠に付帯して設けられた表示装置とから構成されている。携帯機は、信号発生部と、送信アンテナと、操作スイッチとを備えている。表示装置は、共振回路と、受信アンテナと、施錠検知センサと、ＬＥＤ（Light-Emitting Diode）とを備えている。ＬＥＤは、錠の鍵穴の近傍に配設されている。
【０００３】
携帯機を携帯した使用者が表示装置の傍に近づき、操作スイッチをオンすると、信号発生部にて確認用周波数信号が発生され、当該信号が送信アンテナを介して表示装置に送信される。表示装置では、受信アンテナを介して確認用周波数信号を受信すると、共振回路にて共振電流が流れる。そして、施錠検知センサにて錠が施錠状態にあることが検知されている場合には、共振電流によりＬＥＤが点灯される。これにより、使用者は錠が施錠状態にあることを確認する。
【特許文献１】特許第３０４５７４２号公報
【発明の開示】
【発明が解決しようとする課題】
【０００４】
しかしながら、特許文献１にて開示されている施解錠確認システムでは、表示装置から離れた場所、即ち錠から離れた場所では、錠の施解錠状態を確認することができない。そのため、表示装置から離れた場所で錠が施錠されているかどうかが気になった場合には、使用者は表示装置を目視可能な位置まで戻らなければならないという問題があった。
【０００５】
本発明は、こうした実情に鑑みてなされたものであって、その目的は、錠から離れた場所であっても、錠の施解錠状態を確認することができる施解錠確認システムを提供することにある。
【課題を解決するための手段】
【０００６】
上記課題を解決するため、請求項１に記載の発明は、錠が施錠・解錠される度に前記錠の施解錠状態を示す状態信号を出力する信号出力部と、前記状態信号を送信する送信部と
を有する通知装置と、前記状態信号を受信する受信部と、前記状態信号に基づいて前記錠の施解錠状態を記憶する記憶部と、前記記憶部に記憶された前記錠の施解錠状態に応じた表示をする表示部とを有する携帯機とを備えた施解錠確認システムとした。
【０００７】
請求項２に記載の発明は、建造物のドアの錠が施錠・解錠される度に前記錠の施錠解錠状態を示す状態信号を出力する信号出力部と、前記状態信号を送信する送信部とを有する通知装置と、前記状態信号を受信する受信部と、前記状態信号に基づいて前記錠の施解錠状態を記憶する記憶部と、前記記憶部に記憶された前記錠の施解錠状態に応じた表示をする表示部とを有する携帯機とを備えた施解錠確認システムとした。
【０００８】
請求項３に記載の発明は、請求項１又は請求項２に記載の施錠解錠確認システムにおいて、前記携帯機は、前記表示部に対して前記錠の施解錠状態を表示するように指令する指令信号を出力する指令部と、前記表示部に電力を供給する電源とを備え、前記表示部は、前記指令信号が出力されている間のみ、前記電源から電力が供給されて前記記憶部に記憶された前記錠の施解錠状態に応じた表示をする。
【０００９】
（作用）
請求項１，２に記載の発明によれば、記憶部によって錠の施解錠状態が記憶されると共に、表示部によって記憶部に記憶された錠の施解錠状態に応じた表示がなされる。従って、携帯機を携帯していれば、使用者はいつでもどこでも携帯機の表示部を見ることにより、錠の施解錠状態を確認することが可能となる。その結果、錠から離れた場所であっても、錠の施解錠状態を確認することができる。
【００１０】
請求項３に記載の発明によれば、表示部は、指令部から指令信号が出力されている間のみ記憶部に記憶された施解錠状態に応じた表示をする。従って、携帯機における電力の消費が抑えられる。
【発明の効果】
【００１１】
本発明によれば、錠から離れた場所であっても、錠の施解錠状態を確認可能な施解錠確認システムを提供することができる。
【発明を実施するための最良の形態】
【００１２】
以下、本発明を住宅用の施解錠確認システムに具体化した一実施形態を図１乃至図３に従って説明する。
図１に示すように、施解錠確認システム１は、通知装置２と携帯機３とから構成されている。
【００１３】
通知装置２は、住宅のドアにおいて、錠５の近傍に配設されている。本実施形態では、錠５は、該錠５に対応した鍵６が錠５の鍵穴７に差し込まれて回転されることにより、錠５に備えられたロック機構８によって施錠・解錠が行われる（図２（ａ）（ｂ）及び図３参照）。
【００１４】
通知装置２は、施解錠検知センサ１１、送信回路１２、及びマイクロコンピュータ１３（以下、マイコン１３とする）を備えて構成されている。
施解錠検知センサ１１は、錠５の施解錠状態、即ち錠５が施錠状態及び解錠状態のいずれの状態にあるかを検知する。施解錠検知センサ１１は、スイッチ式のセンサであり、施錠検知部１１ａと解錠検知部１１ｂとから構成されている。施錠検知部１１ａは、錠５がロック機構８によって施錠される際にロック機構８によってオンされ、錠５が施錠状態にあることを示す施錠信号をマイコン１３に出力する。解錠検知部１１ｂは、錠５がロック機構８によって解錠される際にロック機構８によってオンされ、錠５が解錠状態にあることを示す解錠信号をマイコン１３に出力する。
【００１５】
送信回路１２は送信アンテナ１２ａを備えている。送信アンテナ１２ａは、例えばコイルアンテナであり、図２（ａ）（ｂ）に示すように、錠５においてドア１４から突出した部分の外周に取着されている。図１に示すように、送信回路１２は、マイコン１３から入力される状態信号を所定の周波数に変調して送信アンテナ１２ａを介して送信する。状態信号は、錠５が施錠状態にあることを示す状態信号と、錠５が解錠状態にあることを示す状態信号との２種類の信号がある。
【００１６】
マイコン１３は、図示しないＣＰＵ（Central Processing Unit）、ＲＯＭ（Read-Only Memory）、ＲＡＭ（Random Access Memory）等からなるＣＰＵユニットである。マイコン１３には、電源１５から電力が供給される。このマイコン１３は、施解錠検知センサ１１から施錠信号若しくは解錠信号が入力されると、それらの信号から錠５の施解錠状態を検知し、送信回路１２に錠５の施解錠状態に応じた状態信号を出力する。
【００１７】
携帯機３は、錠５に対応した鍵６を所有する利用者によって携帯されている。この携帯機３は、受信回路２１、メモリ２２、確認スイッチ２３、表示部２４、マイクロコンピュータ２５（以下マイコン２５とする）、及び電源２６を備えて構成されている。携帯機３を構成する各種部品は、図３に示すように、ケース部３ａに収容されている。そして、本実施形態では、携帯機３は鍵６に装着されている。
【００１８】
図１に示すように、受信回路２１は受信アンテナ２１ａを備えており、通知装置２から送信される状態信号を、受信アンテナ２１ａを介して受信可能となっている。受信回路２１は、状態信号を受信すると、同状態信号をパルス信号に復調してマイコン２５に出力する。
【００１９】
メモリ２２は、不揮発性のメモリであり、マイコン２５によって錠５の施解錠状態が書き込まれる。
確認スイッチ２３は、使用者が錠５の施解錠状態を確認する際に操作される。確認スイッチ２３は、マイコン２５に電気的に接続されている。そして、確認スイッチ２３は、使用者に押圧されている間のみ、メモリ２２に記憶された錠５の施解錠状態を表示するように指令する指令信号をマイコン２５に出力する。
【００２０】
表示部２４は、２つのＬＥＤ２７，２８を備えて構成されている。図３に示すように、携帯機３のケース部３ａには、錠５が施錠状態にあることを意味する「ＬＯＣＫ」という表示と、錠５が解錠状態にあることを意味する「ＵＮＬＯＣＫ」という表示がなされている。そして、ＬＥＤ２７，２８は「ＬＯＣＫ」及び「ＵＮＬＯＣＫ」という表示と対応して設けられている。即ち、ＬＥＤ２７は「ＬＯＣＫ」という表示と並べて配置され、ＬＥＤ２８は「ＵＮＬＯＣＫ」という表示と並べて配置されている。そして、これらのＬＥＤ２７，２８は、確認スイッチ２３が押圧されると、メモリ２２に記憶されている錠５の施解錠状態に応じてマイコン２５によって点灯される。即ち、ＬＥＤ２７は錠５が施錠状態にある場合にマイコン２５によって点灯され、ＬＥＤ２８は錠５が解錠状態にある場合にマイコン２５によって点灯される。ＬＥＤ２７，２８は、使用者によって確認スイッチ２３が押圧されている間のみ、マイコン２５を介して電力が供給されて点灯される。尚、ＬＥＤ２７，２８の色は、同じ色であってもよいし、異なる色であってもよい。
【００２１】
マイコン２５は、図示しないＣＰＵ、ＲＯＭ、ＲＡＭ等からなるＣＰＵユニットである。マイコン２５には、電源２６から電力が供給される。電源２６は、一次電池若しくは二次電池により構成されている。
【００２２】
マイコン２５は、受信回路２１から入力される状態信号に応じてメモリ２２に錠５の施解錠状態を書き込む。即ち、マイコン２５は、受信回路２１から錠５が施錠状態にあることを示す状態信号が入力された場合には、メモリ２２に錠５が施錠状態にあることを書き込む。また、マイコン２５は、受信回路２１から錠５が解錠状態にあることを示す解錠信号が入力された場合には、メモリ２２に錠５が解錠状態にあることを書き込む。そして、マイコン２５は、確認スイッチ２３から指令信号が入力されると、メモリ２２から錠５の施解錠状態を読み出し、読み出した施解錠状態に応じて表示部２４のＬＥＤ２７，２８を点灯させる。
【００２３】
次に、上記のように構成された施解錠確認システム１の動作を説明する。
まず、錠５が施錠される際の施解錠確認システム１の動作を説明する。
携帯機３を携帯した使用者が、鍵穴７に鍵６を挿入して錠５を施錠する方向に回転させると、ロック機構８によって錠５が施錠される。この時、通知装置２ではロック機構８によって施錠検知部１１ａがオンされ、施錠検知部１１ａからマイコン１３に施錠信号が出力される。
【００２４】
マイコン１３は、施錠信号が入力されると、錠５が施錠状態にあることを示す状態信号を送信回路１２に出力する。送信回路１２は、マイコン１３から入力された状態信号を所定の周波数に変調して送信アンテナ１２ａから送信する。
【００２５】
携帯機３では、通知装置２から送信された状態信号を、受信アンテナ２１ａを介して受信すると、受信回路２１が同状態信号をパルス信号に復調してマイコン２５に出力する。マイコン２５は、状態信号が入力されると、同状態信号から錠５が施錠状態にあることを認識し、メモリ２２に錠５が施錠状態にあることを書き込む。
【００２６】
その後、使用者によって確認スイッチ２３が押圧されると、確認スイッチ２３はマイコン２５に指令信号を出力する。マイコン２５は、指令信号が入力されると、メモリ２２から錠５の施解錠状態を読み出し、読み出した施解錠状態に対応するＬＥＤ２７，２８を点灯する。即ち、マイコン２５は、メモリ２２から錠５が施錠状態にあることを読み出し、ＬＥＤ２７を点灯する。これにより、使用者は、錠５が施錠状態にあることを確認する。そして、使用者が確認スイッチ２３の押圧を止めると、マイコン２５はＬＥＤ２７を消灯する。
【００２７】
次に、錠５が解錠される際の施解錠確認システム１の動作を説明する。
携帯機３を携帯した使用者が、鍵穴７に鍵６を挿入して錠５を解錠する方向に回転させると、ロック機構８によって錠５が解錠される。この時、通知装置２ではロック機構８によって解錠検知部１１ｂがオンされ、解錠検知部１１ｂからマイコン１３に解錠信号が出力される。
【００２８】
マイコン１３は、解錠信号が入力されると、送信回路１２に錠５が解錠状態にあることを示す状態信号を出力する。送信回路１２は、マイコン１３から入力された状態信号を所定の周波数に変調して送信アンテナ１２ａから送信する。
【００２９】
携帯機３では、通知装置２から送信された状態信号を、受信アンテナ２１ａを介して受信すると、受信回路２１が同状態信号をパルス信号に復調してマイコン２５に出力する。マイコン２５は、状態信号が入力されると、同状態信号から錠５が解錠状態にあることを認識し、メモリ２２に錠５が解錠状態にあることを書き込む。
【００３０】
その後、使用者によって確認スイッチ２３が押圧されると、確認スイッチ２３はマイコン２５に指令信号を出力する。マイコン２５は、指令信号が入力されると、メモリ２２から錠５が解錠状態にあることを読み出し、ＬＥＤ２８を点灯する。これにより、使用者は、錠５が解錠状態にあることを確認する。そして、使用者が確認スイッチ２３の押圧を止めると、マイコン２５はＬＥＤ２８を消灯する。
【００３１】
上記したように、本実施形態によれば、以下の効果を有する。
（１）携帯機３のメモリ２２には、錠５の施解錠状態が記憶されている。また、確認スイッチ２３が押圧されると、マイコン２５は、メモリ２２に記憶されている錠５の施解錠状態に応じて表示部２４のＬＥＤ２７，２８を点灯する。従って、携帯機３を携帯していれば、使用者はいつでもどこでも携帯機３の表示部を見ることにより、錠５の施解錠状態を確認することができる。その結果、錠５から離れた場所であっても、錠５の施解錠状態を確認することができる。
【００３２】
（２）表示部２４は、確認スイッチ２３から指令信号が出力されている間のみ点灯される。従って、電源２６の電力の消費が抑えられる。その結果、電源２６が一次電池である場合には、一次電池の交換回数を減少させることができる。また、電源２６が二次電池である場合には、充電回数を減少させることができる。
【００３３】
（３）表示部２４はＬＥＤ２７，２８により構成されているため、電力の消費がより抑えられる。従って、電源２６が一次電池である場合には、一次電池の交換回数をより減少させることができる。また、電源２６が二次電池である場合には、充電回数をより減少させることができる。
【００３４】
尚、本発明の実施形態は、以下のように変更してもよい。
○上記実施形態では、送信アンテナ１２ａは、錠５においてドア１４から突出した部分の外周に取着されているが、これ以外の場所に設けられてもよい。送信アンテナ１２ａは、状態信号を送信可能な場所に設けられていればよく、例えばドア１４の内部や、住宅の玄関の壁に設けられてもよい。
【００３５】
○上記実施形態では、施解錠検知センサ１１は、施錠検知部１１ａと解錠検知部１１ｂとの２つのセンサから構成されているが、ロック機構８の動作に連動してオン・オフされる一つのスイッチ式のセンサから構成されてもよい。
【００３６】
○上記実施形態では、表示部２４のＬＥＤ２７，２８は、確認スイッチ２３から指令信号が入力されている間のみ点灯される。しかしながら、ＬＥＤ２７，２８は、確認スイッチ２３から指令信号が入力されたことをトリガとして点灯され、所定時間（任意に設定される）経過後に消灯されてもよい。また、確認スイッチ２３を省略し、表示部２４のＬＥＤ２７，２８が、メモリ２２に記憶された錠５の施錠・解錠状態に応じて常時点灯されるようにしてもよい。
【００３７】
○上記実施形態では、表示部２４は、錠５の施解錠状態に対応した２つのＬＥＤ２７，２８から構成されているが、これに限らない。例えば、表示部２４を一つのＬＥＤから構成し、錠５の施解錠状態に対応してＬＥＤを点滅させる（例えば、施錠状態を示す場合にはＬＥＤを１回点滅させ、解錠状態を示す場合にはＬＥＤを２回点滅させる）ようにしてもよい。このように構成すると、表示部２４を２つのＬＥＤ２７，２８で構成する場合よりも部品点数が減少され、製造コストを低減させることができる。また、表示部２４は、ディスプレイにより構成し、錠５の施解錠状態に対応した画像をディスプレイに表示させてもよい。
【００３８】
○上記実施形態では、携帯機３は、鍵６に装着されているが、これに限らない。例えば、携帯機３は鍵６とは別体で構成され、鍵６と共に使用者に携帯されてもよい。また、携帯機３は、キーホルダ状に形成されていてもよい。
【００３９】
○上記実施形態では、施解錠確認システム１は住宅のドアの錠に用いられているが、これに限らない。例えば、施解錠確認システム１は、住宅以外の建造物のドアの錠、車両のドアの錠、住宅のガラス窓の錠、南京錠等に用いられてもよい。
【００４０】
上記実施形態から把握できる技術的思想を以下に記載する。
（イ）請求項１乃至請求項３の何れか１項に記載の施解錠確認システムにおいて、前記表示部は、電力の供給により発光される発光体であり、前記錠の施解錠状態を前記発光体の点滅回数で示すことを特徴とする施解錠確認システム。このように構成すると、錠の施錠状態及び解錠状態を一つの発光体にて示すことが可能となる。その結果、部品点数が減少され、製造コストを低減させることができる。
【００４１】
（ロ）請求項１乃至請求項３及び前記（イ）の何れか１項に記載の施解錠確認システムにおいて、前記表示部は、前記錠の施解錠状態に応じて点灯されるＬＥＤから構成されていることを特徴とする施解錠確認システム。このように構成すると、携帯機における電力の消費がより抑えられる。従って、例えば、ＬＥＤに電力を供給する電源が一次電池である場合には、一次電池の交換回数をより減少させることができる。また、ＬＥＤに電力を供給する電源が二次電池である場合には、充電回数をより減少させることができる。
【図面の簡単な説明】
【００４２】
【図１】施解錠確認システムの電気的構成を示すブロック図。
【図２】（ａ）は送信アンテナの正面図、（ｂ）は送信アンテナの側面図。
【図３】携帯機の正面図。
【符号の説明】
【００４３】
２…通知装置、３…携帯機、５…錠、１２…送信部としての送信回路、１３…信号出力部としてのマイクロコンピュータ、１４…ドア、２１…受信部としての受信回路、２２…記憶部としてのメモリ、２３…指令部としての確認スイッチ、２４…表示部、２６…電源。
【図１】
2006200154.tif 000003
【図２】
2006200154.tif 000004
【図３】
2006200154.tif 000005